(57)【要約】【課題】  所望する画像の表示を指示する際にその操作性を大幅に向上させる。【解決手段】  制御部１は、所定の画像送り操作（フリック操作）が行われた際に、タッチ操作によって予め任意に指定された表示部分が検索対象として特定されているか否かの判別結果を参照し、検索対象として特定していなければ、所定の基準で配列されている保存画像群の中からその順方向又は逆方向の順に逐次選択した画像を表示部６ａに表示させる表示制御（通常の逐次送り処理）を行い、検索対象として特定していれば、この検索対象に基づいて検索条件テーブル３ｃを参照して該当する検索条件を取得し、保存画像群の中から表示中の画像を除く他の画像をその検索条件を基に検索して表示部６ａに表示させる表示制御（検索送り処理）を行う。【選択図】  図１
2016218546.tif 000002
【特許請求の範囲】
【請求項１】
タッチパネルを有するタッチ入力部と、画像を表示する表示部を備える画像表示装置であって、
前記タッチパネル上でタッチ操作が行われた際のタッチ位置を取得する位置取得手段と、
前記表示部に表示されている表示データの中から前記位置取得手段により取得されたタッチ位置に該当する表示部分を検索対象として特定する特定手段と、
前記特定手段により検索対象が特定されているか否かを判別する判別手段と、
所定の画像送り操作が行われた際に、前記判別手段によって検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定手段によって特定された表示部分に基づいて前記複数の画像の中から前記表示されている画像を除く他の画像を検索して前記表示部に表示させる表示制御を行う表示制御手段と、
を備えることを特徴とする画像表示装置。
【請求項２】
前記特定手段は、前記タッチ位置に該当する表示部分が所定のデータであれば、その表示部分を検索対象として特定する、
ことを特徴とする請求項１に記載の画像表示装置。
【請求項３】
前記表示制御手段は、前記特定手段によって検索対象として特定された表示部分に基づいて、前記複数の画像の中から前記他の画像を検索する場合に、その表示部分が含まれる画像を検索する、
ことを特徴とする請求項１又は２に記載の画像表示装置。
【請求項４】
前記表示制御手段は、前記特定手段によって検索対象として特定された表示部分に基づいて、所定の基準で配列されている複数の画像の中から前記他の画像を検索する際に、前記画像送り操作が順方向への画像送りを指示する操作であれば、順方向に配列されている画像を検索し、逆方向への画像送りを指示する操作であれば、逆方向に配列されている画像を検索する、
ことを特徴とする請求項１乃至３のいずれか１項に記載の画像表示装置。
【請求項５】
前記特定手段は、前記位置取得手段によって複数のタッチ位置が取得された場合には、これらの複数のタッチ位置の各々に該当する表示部分を検索対象としてそれぞれ特定し、
前記表示制御手段は、前記判別手段により複数の検索対象が特定されていると判別されている場合に、その複数の表示部分が含まれる画像を前記複数の画像の中から検索する、
ことを特徴とする請求項１乃至４のいずれか１項に記載の画像表示装置。
【請求項６】
前記特定手段は、前記表示部に表示されている画像データの中から人物の顔部分に対してタッチ操作された際にそのタッチ位置に該当する顔部分を検索対象として特定し、
前記表示制御手段は、前記複数の画像の中から前記他の画像を検索する場合に、前記顔部分が含まれる他の画像を検索する、
ことを特徴とする請求項１乃至５のいずれか１項に記載の画像表示装置。
【請求項７】
前記タッチパネル上でタッチ操作が行われた際にそのタッチ操作の種類を検出する検出手段と、
前記検出手段によって検出されたタッチ操作の種類に基づいて、前記検索対象を検索するための検索条件を取得する検索条件取得手段と、
を更に備え、
前記表示制御手段は、前記判別手段によって検索対象が特定されていると判別されている場合に、前記検索条件取得手段によって取得された検索条件に基づいて、前記複数の画像の中から前記他の画像を検索する、
ことを特徴とする請求項１乃至６のいずれか１項に記載の画像表示装置。
【請求項８】
前記特定手段は、既に検索対象として特定されている表示部分に該当する位置がタッチ操作された際には、その検索対象の特定を解除する、
ことを特徴とする請求項１乃至７のいずれか１項に記載の画像表示装置。
【請求項９】
前記表示制御手段は、前記特定手段によって検索対象として特定された表示部分に基づいて、前記複数の画像の中から前記検索対象の表示部分が含まれる画像を検索して前記表示部に表示させる場合に、この検索された画像内の前記表示部分を識別可能に表示させる表示制御を併せて行う、
ことを特徴とする請求項１乃至８のいずれか１項に記載の画像表示装置。
【請求項１０】
前記タッチ操作がフリック操作の場合に、そのフリック操作の方向を検出するフリック方向検出手段を更に備え、
前記特定手段は、前記位置取得手段により取得されたフリック操作のタッチ開始位置に該当する表示部分を検索対象として特定し、
前記表示制御手段は、前記特定手段によって特定された表示部分に基づいて前記複数の画像の中から前記他の画像を検索する場合に、前記フリック方向検出手段によって検出されたフリック方向を検索条件の一部として検索を行う、
ことを特徴とする請求項１乃至９のいずれか１項に記載の画像表示装置。
【請求項１１】
タッチパネルを有するタッチ入力部と、画像を表示する表示部を備える画像表示装置であって、
前記タッチパネル上でフリック操作が行われた際のタッチ開始位置を取得する位置取得手段と、
前記タッチパネル上でフリック操作が行われた際に、前記表示部に表示されている表示データの中から前記位置取得手段により取得されたフリック操作のタッチ開始位置に該当する表示部分を検索対象として特定すると共に、前記フリック方向に基づいて、所定の基準で配列されている複数の画像の順方向又は逆方向を検索方向として特定する特定手段と、
前記特定手段によって特定された表示部分に基づいて、前記特定手段により特定された検索方向に配列されている画像の中から前記表示されている画像を除く他の画像を検索して前記表示部に表示させる表示制御を行う表示制御手段と、
を備えることを特徴とする画像表示装置。
【請求項１２】
前記表示制御手段は、前記特定手段によって特定された表示部分に基づいて、前記複数の画像の中から前記他の画像を検索する場合に、その表示部分が含まれる画像を検索する、
ことを特徴とする請求項１１に記載の画像表示装置。
【請求項１３】
前記表示制御手段は、所定の条件を満たす場合には、前記特定手段によって特定された表示部分に基づいて、前記特定手段により特定された検索方向に配列されている画像の中から前記表示部に表示されている画像を除く他の画像を検索して前記表示部に表示させる表示制御を行い、前記所定の条件を満たさない場合には、所定の基準で配列されている複数の画像の中からその順方向又は逆方向の順に選択された画像を前記表示部に表示させる表示制御を行う、
ことを特徴とする請求項１１又は１２に記載の画像表示装置。
【請求項１４】
前記検索を行うか否かを設定する設定手段を更に備え、
前記所定の条件を満たす場合とは、前記設定手段によって検索を行うことが設定されている場合である、
ことを特徴とする請求項１３に記載の画像表示装置。
【請求項１５】
前記フリック操作のタッチ開始時の停止時間を測定する測定手段を更に備え、
前記所定の条件を満たす場合とは、前記測定手段によって測定された停止時間が所定の時間以上の場合である、
ことを特徴とする請求項１３に記載の画像表示装置。
【請求項１６】
前記表示部に表示される表示データのうち、前記検索対象の候補となる表示部分を識別可能に表示する識別表示手段を更に備え、
前記所定の条件を満たす場合とは、前記フリック操作のタッチ開始位置が前記識別表示手段によって識別表示されている表示部分の場合である、
ことを特徴とする請求項１３に記載の画像表示装置。
【請求項１７】
タッチパネルを有するタッチ入力部と、画像を表示する表示部を備える画像表示装置における表示制御方法であって、
前記タッチパネル上でタッチ操作が行われた際のタッチ位置を取得する処理と、
前記表示部に表示されている表示データの中から前記取得されたタッチ位置に該当する表示部分を検索対象として特定する処理と、
前記検索対象が特定されているか否かを判別する処理と、
所定の画像送り操作が行われた際に、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う処理と、
を含むことを特徴とする表示制御方法。
【請求項１８】
タッチパネルを有するタッチ入力部と、画像を表示する表示部を備える画像表示装置のコンピュータに対して、
前記タッチパネル上でタッチ操作が行われた際のタッチ位置を取得する機能と、
前記表示部に表示されている表示データの中から前記取得されたタッチ位置に該当する表示部分を検索対象として特定する機能と、
前記検索対象が特定されているか否かを判別する機能と、
所定の画像送り操作が行われた際に、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う機能と、
を実現させるためのプログラム。
【請求項１９】
タッチパネルを有するタッチ入力部と、画像を表示する表示部を備える画像表示装置における表示制御方法であって、
前記タッチパネル上でフリック操作が行われた際のタッチ開始位置を取得する処理と、
前記タッチパネル上でフリック操作が行われた際に、前記表示部に表示されている表示データの中から前記取得されたフリック操作のタッチ開始位置に該当する表示部分を検索対象として特定すると共に、前記フリック方向に基づいて、所定の基準で配列されている複数の画像の順方向又は逆方向を検索方向として特定する処理と、
前記特定された表示部分に基づいて、前記特定された検索方向に配列されている画像の中から前記表示されている画像を除く他の画像を検索して前記表示部に表示させる表示制御を行う処理と、
を含むことを特徴とする表示制御方法。
【請求項２０】
タッチパネルを有するタッチ入力部と、画像を表示する表示部を備える画像表示装置のコンピュータに対して、
前記タッチパネル上でフリック操作が行われた際のタッチ開始位置を取得する機能と、
前記タッチパネル上でフリック操作された際に、前記表示部に表示されている表示データの中から前記取得されたフリック操作のタッチ開始位置に該当する表示部分を検索対象として特定すると共に、前記フリック方向に基づいて、所定の基準で配列されている複数の画像の順方向又は逆方向を検索方向として特定する機能と、
前記特定された表示部分に基づいて、前記特定された検索方向に配列されている画像の中から前記表示されている画像を除く他の画像を検索して前記表示部に表示させる表示制御を行う機能と、
を実現させるためのプログラム。
【発明の詳細な説明】
【技術分野】
【０００１】
本発明は、タッチパネルを有するタッチ入力部と画像を表示する表示部を備える画像表示装置、表示制御方法及びプログラムに関する。
【背景技術】
【０００２】
この種の画像表示装置において、例えば、撮影画像が表示部に表示されている状態で、この表示部に積層されているタッチパネル上をフリック操作することにより、フリック方向に応じて、撮影日時順に配列されている複数の画像（保存画像群）の中からその順方向又は逆方向の順に次の画像に切り替え表示するようにした画像送り操作（１枚毎の逐次送り操作）は、分りやすい操作である反面、撮影画像が大量に記憶されているような場合、画像を1枚ずつ送りながらユーザの所望する画像を探し出すことは、時間も手間もかかり、面倒な作業となっていた。
【０００３】
ところで、特許文献１の画像表示装置は、画像内の人物の顔の並び方向とスライド方向とが一致していれば、スライド方向と反対側に存在するすべての人物を検索用人物として検出し、一致していなければ、タッチ位置に存在している人物以外のすべての人物を検索用人物として検出する技術を開示している。この特許文献の技術は、スライド操作に応じて検索用人物を検出し、この検出した検索用人物が写っている他の画像を検索するようにしているため、保存画像が大量に記憶されているような場合でも所望する画像を簡単に検索することができ、操作性の改善を期待することが可能となる。
【先行技術文献】
【特許文献】
【０００４】
【特許文献１】特開２０１０−２４４４１４号公報
【発明の概要】
【発明が解決しようとする課題】
【０００５】
しかしながら、上述した特許文献の技術にあっては、スライド操作に応じて検索用人物を検出して画像を検索するようにしているが、上述したフリック操作によって１枚毎の逐次送り操作（通常の画像送り操作）と混同するおそれがあると共に、保存画像数に応じて上述のスライド操作と通常のフリック操作とを使い分ける必要があり、ユーザの所望する画像を探し出す際の操作性は、必ずしも高いものとは言えなかった。
【０００６】
本発明の課題は、所望する画像の表示を指示する際にその操作性を大幅に向上させることである。
【課題を解決するための手段】
【０００７】
上述した課題を解決するために本発明は、
タッチパネルを有するタッチ入力部と、画像を表示する表示部を備える画像表示装置であって、
前記タッチパネル上でタッチ操作が行われた際のタッチ位置を取得する位置取得手段と、
前記表示部に表示されている表示データの中から前記位置取得手段により取得されたタッチ位置に該当する表示部分を検索対象として特定する特定手段と、
前記特定手段により検索対象が特定されているか否かを判別する判別手段と、
所定の画像送り操作が行われた際に、前記判別手段によって検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定手段によって特定された表示部分に基づいて、前記複数の画像の中から前記表示されている画像を除く他の画像を検索して前記表示部に表示させる表示制御を行う表示制御手段と、
を備えることを特徴とする。
【発明の効果】
【０００８】
本発明によれば、所望する画像の表示を指示する際にその操作性を大幅に向上させることができる。
【図面の簡単な説明】
【０００９】
【図１】画像表示装置として適用した撮像装置（デジタルカメラ）の基本的な構成要素を示したブロック図。
【図２】（１）〜（５）は、再生モードにおいて、画像送り操作（フリック操作）に応じて画像が切り替え表示される様子を説明するための図。
【図３】（１）〜（３）は、任意の画像が表示されている再生画面（タッチパネル）上で行われる特殊な画像送り操作（検索送り操作）を説明するための図。
【図４】（１）〜（４）は、特殊な画像送り操作（検索送り操作）の他の例を説明するための図。
【図５】検索条件テーブル３ｃを説明するための図。
【図６】再生モードに切り替えられた際に実行開始される動作を示したフローチャート。
【図７】タッチ検出処理（図６のステップＡ３）を詳述するためのフローチャート。
【図８】図７の動作に続くフローチャート。
【図９】検索送り用画像の検索取得処理（図６のステップＡ５）を詳述するためのフローチャート。
【図１０】第１実施形態の変形例として、色を検索対象として指定する場合のタッチ操作を示した図。
【図１１】第１実施形態の他の変形例として、名前テーブルを示した図。
【図１２】（１）〜（４）は、第２実施形態において、検索送りモードでの動作概要を説明するための図。
【図１３】第２実施形態における再生モードでの特徴的な動作を示したフローチャート。
【図１４】（１）〜（８）は、第１実施形態の変形例を説明するための図。
【発明を実施するための形態】
【００１０】
以下、本発明の実施の形態について、図面を参照して詳細に説明する。
（第１実施形態）
先ず、図１〜図９を参照して本発明の第１実施形態を説明する。
図１は、画像表示装置として適用した撮像装置（デジタルカメラ）の基本的な構成要素を示したブロック図である。
この撮像装置（デジタルカメラ）は、被写体を高精細に撮影可能な撮像機能、現在日時やタイマ時間を計時する計時機能、記録保存されている撮影済み画像（保存画像）を任意に読み出して再生する画像再生機能などを備えている。制御部１は、電源部（二次電池）２からの電力供給によって動作し、記憶部３内に格納されている各種のプログラムに応じてこの撮像装置の全体動作を制御するもので、この制御部１には図示しないＣＰＵ（中央演算処理装置）やメモリなどが設けられている。
【００１１】
記憶部３は、例えば、ＲＯＭ、フラッシュメモリなどを有する構成で、後述する図６〜図９に示した動作手順に応じて本実施形態を実現するためのプログラムや各種のアプリケーションなどが格納されているプログラムメモリ３ａと、フラグなどのデータを一時記憶するワークメモリ３ｂ、後述する検索条件テーブル３ｃなどを有している。なお、記憶部３は、例えば、複数枚の撮影済み画像（保存画像群）を記憶可能なＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。なお、ＳＤカードなどの画像メモリは、高画質の撮影済み画像（保存画像：静止画像）を複数記憶可能なもので、これらの保存画像の各々には、画像送りをする際の配列の基準となる、例えば、撮影日時といった情報が付加されている。
【００１２】
操作部４は、図示省略したが、各種のハードキーとして、電源オン／オフを行う電源キー、撮影が可能なモードと撮影済み画像（保存画像）を再生するモードなどを切り替えるモード変更キー、撮影を指示するレリーズキー、十字キーなど、各種のハードキーを備えたもので、制御部１は、このハードキーの操作に応じて、例えば、モード変更処理、撮影処理などを行う。撮像部５は、図示しないが、光学レンズからの被写体画像が撮像素子（ＣＣＤやＣＭＯＳなど）に結像されることにより被写体を高精細に撮像することが可能なもので、撮影レンズ、撮像素子、各種のセンサ、アナログ処理部、デジタル処理部を有している。この撮像部５によって撮影された画像は、制御部１によりその画像を圧縮してファイル化する画像圧縮処理が施された後、記憶部３の記録メディアに記録保存される。
【００１３】
タッチ表示部６は、画像を表示する高精細液晶、有機ＥＬ（Electro  Luminescence）などの表示部６ａと、透明タッチパネルを有するタッチ入力部６ｂを備え、表示部６ａ上にタッチパネルが積層配置されたタッチスクリーンを構成するもので、各種のソフトウェアキー（アイコン、タッチキー）を割り当て配置してその機能名を表示したり、指などによるタッチ操作を感知してそのタッチ操作に応じた操作信号を入力したりする。タッチ表示部６の表示画面は、撮像された画像（ライブビュー画像）をリアルタイムに表示するモニタ画面（ライブビュー画面）となったり、撮影済み画像を再生する再生画面となったりする。
【００１４】
タッチ入力部６ｂは、例えば、静電容量方式、あるいは抵抗皮膜方式を採用したもので、制御部１は、タッチ入力部６ｂからの接触有無信号（タッチオン信号／タッチオフ信号）に基づいてタッチパネル上の座標位置（接触位置）、接触方向、接触距離、接触時間を検出してタッチ操作の有無、タッチ操作の種類、操作内容を判別する。ここで、タッチ操作の種類としては、任意の位置を接触してすぐに離す操作のシングルタッチ、接触して続けて任意の方向に移動してからすぐに離す操作（はらう操作）のフリック、複数の指で同時に接触してすぐ離す操作のマルチタッチ、複数の指を接触しながらその間隔を狭めるピンチイン、複数の指を接触しながらその間隔を広げるピンチアウトなどである。
【００１５】
なお、上述のタッチ操作とは、タッチ入力部６ｂ上において指やペンで直接タッチする接触操作に限らず、その接触操作に近似する操作として、例えば、指やペンの接近や接近移動による静電容量変化などに応じて指やペンの位置を検出する近接操作を含むことを意味している。つまり、接触操作を検出する接触型タッチパネルに限らず、近接型タッチパネルやデバイスであってもよいが、本実施形態にあっては、タッチ操作として、接触型タッチパネル上での接触操作を例示した場合を示している。
【００１６】
図２は、再生モードにおいて、所定の画像送り操作（フリック操作）に応じて画像が切り替え表示される様子を説明するための図である。
図２（１）は、所定の基準で配列されている複数の撮影済み画像（保存画像群）を示し、この保存画像群は、所定の基準として、例えば、撮影日時順で配列管理されている。なお、各保存画像には、その関連情報（Ｅｘｉｆ情報）として、撮影日時、撮影場所などの情報が付加されている。図中、“Ａ”、“Ｂ”、“ＡＢ”、“ＡＢＣＤ”などは、例えば、人物Ａ、Ｂ、Ｃ、Ｄの１人又は複数で撮影した画像であることを示している。人物Ａ、Ｂ、Ｃ、Ｄの４人が写っている“ＡＢＣＤ”の画像（集合写真）が表示部６ａに表示されている状態において、例えば、この表示されている“ＡＢＣＤ”の画像の撮影日時を基準とすると、図中、その左方向（後方向）に配列されている各保存画像は、その撮影日時が古い逆方向に配列された画像群となり、右方向（前方向）に配列されている各保存画像は、その撮影日時が若い順方向に配列された画像群となる。
【００１７】
図２（２）は、“ＡＢＣＤ”の画像が表示されている再生画面（タッチパネル）上で、右方向（前方向）へのフリック操作（通常の画像送り操作）が行われた場合、又は左方向（後方向）へのフリック操作（通常の画像送り操作）が行われた場合を示している。すなわち、保存画像群の中からその順方向又は逆方向の順に次の画像を１枚毎に切り替え表示させるフリック操作が行われた場合に、そのフリック操作による通常の画像送りの様子を示している。図中、各矢印の位置は、フリック毎に逐次選択されて表示される画像の位置を示している。例えば、左方向（後方向）へのフリック操作が行われる毎に“Ｅ”の画像、“ＣＤ”の画像、“ＡＢＣＤ”の画像、…、が逐次選択されて切り替え表示され、右方向（前方向）へのフリック操作が行われる毎に“Ｋ”の画像、“Ａ”の画像、“ＡＢ”の画像、…が逐次選択されて切り替え表示されることを示している。
【００１８】
図２（３）〜（５）は、図２（２）に示したような通常の画像送り操作（１枚毎の逐次送り操作）ではなく、ユーザの所望する画像を検索して再生（切り替え表示）させる特殊な画像送り操作（検索送り操作）が行われた場合に、どのような画像が検索されて表示されるか画像送りの様子を説明するための図で、通常の逐次送り操作は、「フリック操作」のみであるのに対し、検索送り操作は、「検索対象を指定するタッチ操作（指定タッチ操作）＋「フリック操作」である。図２（３）は、人物Ａが写っている画像を次に再生すべき画像として指定するために、“ＡＢＣＤ”の画像が表示されている再生画面（タッチパネル）上で人物Ａを指定タッチ操作によって検索対象として指定した場合を示している。
【００１９】
このように人物Ａが指定されている状態で所定の画像送り操作（フリック）が行われると、制御部１は、保存画像群の中から検索対象（人物Ａ）を含む画像を検索するようにしているが、その際、フリック操作の方向（フリック方向）に応じて、保存画像群の配列方向（順方向、逆方向）のいずれかを検索方向として決定し、その中から人物Ａを含む画像を検索して切り替え表示させるようにしている。この場合も各矢印の位置は、次に表示される画像の位置を示し、図示の例では、左方向（後方向）へのフリック操作が行われると、“ＡＢＣＤ”の画像、…に切り替え表示され、右方向（前方向）へのフリック操作が行われる毎に“Ａ”の画像、“ＡＢ”の画像、…に切り替え表示されることを示している。
【００２０】
図２（４）、（５）は、“ＡＢＣＤ”の画像が表示されている再生画面（タッチパネル）上で複数の人物Ａ、Ｂ、Ｃ、Ｄを指定タッチ操作により指定した場合を示している。更に、図２（４）は、次に再生すべき画像として、複数の人物Ａ、Ｂ、Ｃ、Ｄの全員が含まれている画像を検索条件（論理積：ＡＮＤ条件）とする場合を示し、図示の例では、左方向（後方向）に画像送り操作（フリック操作）が行われる毎に、“ＡＢＣＤ”の画像、…に切り替え表示され、右方向（前方向）に画像送り操作（フリック操作）が行われる毎に“ＡＢＣＤＥ”の画像、…に切り替え表示されることを示している。
【００２１】
図２（５）は、複数の人物Ａ、Ｂ、Ｃ、Ｄのいずれか１人が含まれている画像を検索条件（論理和：ＯＲ条件）とする場合を示し、図示の例では、左方向（後方向）に画像送り操作（フリック操作）が行われる毎に、“ＣＤ”の画像、“ＡＢＣＤ”の画像、“Ｂ”の画像、…に切り替え表示され、右方向（前方向）に画像送り操作（フリック操作）が行われる毎に“Ａ”の画像、“ＡＢ”の画像、…に切り替え表示される。なお、複数の検索対象が指定された場合に、上述のＡＮＤ条件、ＯＲ条件のいずれを有効とするかは、予めユーザ操作により任意に設定可能となっている。
【００２２】
図３及び図４は、任意の画像（男女２人を撮影した画像）が表示されている再生画面（タッチパネル）上で行われる特殊な画像送り操作（検索送り操作）を説明するための図である。
図３（１）は、再生画面上に任意の画像が表示されている状態において、ユーザの所望する検索対象（男性の顔部分）をシングルタッチでポイント指定してその人物を検索対象として指定した後、再生画面上の任意の位置で任意の方向（例えば、左方向）に画像送り操作（フリック操作）を行った場合を示している。このような検索送り操作（検索対象を指定するタッチ操作＋フリック操作）が行われると、制御部１は、図２（３）で示したようにフリック操作の方向と同じ方向に配列されている保存画像群の中から検索対象（同一人物）が含まれている画像を検索して切り替え表示させる。
【００２３】
図３（２）は、再生画面上に表示されているＯＳＤ（オンスクリーンディスプレイ）の文字列を検索対象として指定して画像送り操作（フリック操作）を行った場合を示している。図示の例は、ユーザの所望するＯＳＤとして撮影日時の文字列部分に対してシングルタッチを行って検索対象をポイント指定した後、再生画面上の任意の位置で任意の方向（例えば、左方向）にフリック操作を行った場合である。このような検索送り操作が行われると、制御部１は、図２（３）で示したように、検索対象を含む画像として同一の日にちの他の月に撮影された画像を検索して切り替え表示させる。なお、撮影日時に限らず、他のＯＳＤ（例えば、○○記念公園のような撮影場所）の文字列部分がシングルタッチによって検索対象として指定された場合であっても同様であり、制御部１は、同じ場所で撮影された画像を検索して切り替え表示させる。
【００２４】
図３（３）は、ユーザの所望する複数の人物（男性及び女性）の顔部分を個別にシングルタッチすることによってこの複数の検索対象をポイント指定した後、再生画面上の任意の位置で任意の方向（例えば、左方向）にフリック操作を行った場合を示している。このような検索送り操作が行われた場合、上述のＡＮＤ条件が設定されていれば、制御部１は、図２（４）に示したように、複数の検索対象（人物）の全員が含まれている画像を検索して切り替え表示させ、ＯＲ条件が設定されていれば、図２（５）に示したように、検索対象の複数の人物のうち、そのいずれか１人が含まれている画像を検索して切り替え表示させる。なお、図３（３）は、複数の人物（男性及び女性）の顔部分を個別にシングルタッチする場合に限らず、複数の人物の顔部分を複数の指で同時にマルチタッチする場合であってもよい。
【００２５】
図４（１）、（２）は、検索対象をより詳細に指定するタッチ操作として、シングルタッチの代わりにフリック操作が行われた場合で、図４（１）は、上方向フリック操作、図４（２）は、下方向フリック操作を示している。すなわち、図４（１）は、フリック操作のタッチ開始位置でユーザの所望する人物（男性）の顔部分をポイント指定し、その指定位置から上方向へのフリック操作を行うことで、「笑顔」という追加の検索条件を加えた検索対象を指定した後、再生画面上の任意の位置で任意の方向（例えば、左方向）にフリック操作を行った場合である。
【００２６】
図４（２）は、フリック操作のタッチ開始位置でユーザの所望する人物（男性）の顔部分をポイント指定し、その指定位置から下方向へのフリック操作を行うことで、「目を瞑っていない」という追加の検索条件を加えた検索対象を指定した後、再生画面上の任意の位置で任意の方向（例えば、左方向）にフリック操作を行った場合である。このように検索対象を指定する際にシングルタッチに代えてフリック操作とすることで、所望する人物に、更に「笑顔」や「目を瞑っていない」といった追加の検索条件を加えることで検索対象をより詳細に指定することが可能としている。すなわち、フリック操作のタッチ開始位置によって検索対象を指定し、フリック操作の方向（例えば、右方向又は左方向）によって更にその検索対象を絞り込む追加の検索条件を指定することができる。なお、フリック方向に対応付ける追加の検索条件はユーザにより任意に設定可能としてもよく、上下方向に限らず、左右方向や斜め方向などであってもよい。
【００２７】
図４（３）、（４）は、検索対象をより詳細に指定するタッチ操作として、ピンチイン操作又はピンチアウト操作が行われた場合で、図４（３）は、ピンチイン、図４（３）は、ピンチアウトを示している。すなわち、図４（３）は、複数の人物（男性及び女性）の顔部分を２本の指でポイント指定し、その指定位置から２本の指の間隔を狭めるピンチインを行うことで、所望する人物が近くに写っているといった追加の検索条件を加えて検索対象をより詳細に指定した後、再生画面上の任意の位置で任意の方向（例えば、左方向）にフリック操作を行った場合である。
【００２８】
図４（４）は、複数の人物（男性及び女性）の顔部分を２本の指でポイント指定し、その指定位置から２本の指の間隔を広げるピンチアウトを行うことで、所望する人物が離れて写っているといった追加の検索条件を加えて検索対象をより詳細に指定した後、再生画面上の任意の位置で任意の方向（例えば、左方向）にフリック操作を行った場合である。このように検索対象を指定する際にピンチイン又はピンチアウトによって検索対象をより詳細に指定することが可能となる。すなわち、ピンチイン又はピンチアウトのタッチ開始位置によって複数の検索対象を指定し、ピンチイン又はピンチアウトの方向によって更にその検索対象を絞り込む追加の検索条件を指定することができる。なお、２本の指でポイント指定してすぐ離すマルチタッチ操作の場合は、追加の検索条件を加えずに複数の検索対象をポイント指定したものとみなす。
【００２９】
なお、図４（１）（２）の例では、人物を検索対象として指定して、フリック方向により追加の検索条件を加える場合を例示したが、検索対象は撮影日時や撮影場所などでもよく、その場合には、フリック方向に対応付けられる追加の検索条件も適宜設定してよい。また、図４（３）（４）の例では、複数の人物を検索対象として指定する場合を例示したが、複数の検索対象を指定する場合には、複数人物の組み合せに限らず、人物の顔と撮影場所との組み合せ、人物の顔と撮影日時との組み合せ、撮影日時と撮影場所との組み合せを検索条件としてもよく、その場合には、ピンチイン、ピンチアウトに対応付けられる追加の検索条件も適宜設定してよい。
【００３０】
図５は、検索条件テーブル３ｃを説明するための図である。
検索条件テーブル３ｃは、再生モードにおいてユーザの所望する画像を検索して再生するための検索条件を記憶するもので、「指定タッチ操作の種類」、「検索対象の種類」の項目を有している。「指定タッチ操作の種類」は、検索対象を指定する際のタッチ操作の種類を記憶する項目で、図３（１）〜（３）の１又は複数の“タッチ”、図４（１）の“上方向フリック”、図４（２）の“下方向フリック”、図４（３）の“ピンチイン”、図４（４）の“ピンチアウト”が記憶されている。
【００３１】
「検索対象の種類」は、検索対象として指定可能な種類として「人物の顔」、「撮影日時」、「撮影場所」を記憶する項目で、「指定タッチ操作の種類」毎に「人物の顔」、「撮影日時」、「撮影場所」に対応する各領域には、指定タッチ操作別及び検索対象別の検索条件が記憶されている。図示の例では、「検索対象の種類」が「人物の顔」の場合において、“タッチ”に対応する検索条件として“同一人物を含む画像を検索”が記憶され、“上方向フリック”に対応する検索条件として“同一人物を含み、かつ笑顔の画像を検索”が記憶されている。更に、“下方向フリック”に対応する検索条件として“同一人物を含み、かつ目を瞑っていない画像を検索”が記憶され、“ピンチイン”に対応する検索条件として“同一の複数人物を含み、かつその複数の顔の距離が表示画面サイズの１／２以内の画像を検索”が記憶され、“ピンチアウト”に対応する検索条件として“同一の複数人物を含み、かつその複数の顔の距離が表示画面サイズの１／２より大の画像を検索”が記憶されている。
【００３２】
また、「検索対象の種類」が「撮影日時」の場合において、“タッチ”に対応する検索条件として“同一の日にちの他の月に撮影された画像を検索”が記憶され、“上方向フリック”に対応する検索条件として“同一の時間帯の他の日に撮影された画像を検索”が記憶され、“下方向フリック”に対応する検索条件として“同一月日の他の年に撮影された画像を検索”が記憶されている。更に、“ピンチイン”に対応する検索条件として“複数の日時の間の期間内に撮影された画像を検索”が記憶され、“ピンチアウト”に対応する検索条件として“複数の日時の間を除く期間内に撮影された画像を検索”が記憶されている。
【００３３】
更に、「検索対象の種類」が「撮影場所」の場合において、“タッチ”に対応する検索条件として“同一の場所で撮影された画像を検索”が記憶され、“上方向フリック”に対応する検索条件として“同一の場所で、人物が含まれている画像を検索”が記憶され、“下方向フリック”に対応する検索条件として“同一の場所で、人物が含まれていない画像を検索”が記憶されている。なお、図示の例では、“ピンチイン”及び“のピンチアウト”に対応してその検索条件が設定されていない場合を示しているが、その検索条件を設定するようにしてもよい。
【００３４】
本実施形態では、再生モードにおいて所定の画像送り操作（フリック操作）が行われると、１枚ずつ画像を逐次送って切り替え表示させる通常の逐次送り処理を行うか、ユーザの所望する画像を検索して切り替え表示させる検索送り処理を行うかを制御するようにしている。そして、この画像送り操作（フリック操作）が行われる前に、タッチ表示部６に表示されている表示データ（再生画像やＯＳＤ表示）の中から任意の表示部分が指定タッチ操作された場合に、その表示部分が所定のデータ（人物の顔、撮影日時、撮影場所）であれば、その表示部分を検索対象として特定するようにして、検索対象が特定されているか否かを判別し、その判別結果に基づいて、通常の逐次送り処理を行うか、検索送り処理を行うかを制御するようにしている。
【００３５】
すなわち、制御部１は、所定の画像送り操作（フリック操作）が行われた際に、検索対象が特定されていなければ、所定の基準で配列されている保存画像群の中からその順方向又は逆方向の順に逐次選択した画像を表示部６ａに表示させる表示制御（通常の逐次送り処理）を行い、検索対象が特定されていれば、この検索対象に基づいて検索条件テーブル３ｃを参照して該当する検索条件を取得し、保存画像群の中から表示中の画像を除く他の画像をその検索条件を基に検索して表示部６ａに表示させる表示制御（検索送り処理）を行うようにしている。
【００３６】
次に、第１実施形態における撮像装置（デジタルカメラ）の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体の他に、伝送媒体を介して外部供給されたプログラム／データを利用して本実施形態特有の動作を実行することもできる。なお、図６は、撮像装置（デジタルカメラ）の全体動作のうち、本実施形態の特徴部分の動作概要を示したフローチャートであり、この図６のフローから抜けた際には、全体動作のメインフロー（図示省略）に戻る。
【００３７】
図６は、再生モードに切り替えられた際に実行開始される特徴的な動作を示したフローチャートである。
先ず、制御部１は、所定の基準で配列されている保存画像群の中から前回表示していた画像があればその画像を、なければ先頭画像を読み出して再生画面に表示（ステップＡ１）させた後、タッチ操作の有無をチェックし（ステップＡ２）、タッチ操作が行われなければ（ステップＡ２でＮＯ）、再生モードを解除する操作が行われたかを調べ（ステップＡ９）、再生モードを解除する操作が行われていなければ（ステップＡ９でＮＯ）、上述のステップＡ２に戻ってタッチ操作の有無をチェックし、以下、上述の動作を繰り返しながらタッチ操作待ちの状態となる。ここで、タッチ操作を検出すると（ステップＡ２でＹＥＳ）、タッチ検出処理に移る（ステップＡ３）。
【００３８】
図７及び図８は、タッチ検出処理（図６のステップＡ３）を詳述するためのフローチャートである。
いま、図３（１）〜（３）に示すように、タッチ操作がシングルタッチであれば（図７のステップＢ１でＹＥＳ）、指定タッチ操作とみなして、そのタッチ位置を検出して（ステップＢ２）、その検出位置に該当する表示部分を特定する（ステップＢ３）。例えば、図３（１）の場合には、タッチ位置に該当する表示部分として人物（男性）の顔部分を特定し、図３（２）の場合には、撮影日時の文字列を特定する。
【００３９】
そして、このタッチ位置に該当する表示部分に基づいて検索条件テーブル３ｃを参照し、この表示部分は所定のデータ（人物の顔、撮影日時、撮影場所）であるか否かに基づいて表示部分は検索対象であるか否かを判別する（ステップＢ４）。その結果、検索対象（人物の顔、撮影日時、撮影場所）でなければ（ステップＢ４でＮＯ）、今回のシングルタッチを無効とするために上述のステップＢ１に戻るが、検索対象であれば（ステップＢ４でＹＥＳ）、一時記憶されている特定済みの検索対象が再度指定された場合であるかを調べる（ステップＢ５）。
【００４０】
いま、再生モードに切り替えた直後の最初の時点では一時記憶されている検索対象はないので（ステップＢ５でＮＯ）、この検索対象（表示データとその種類）と指定タッチ操作の種類（タッチ）を対応付けてワークメモリ３ｂに一時記憶する（ステップＢ７）と共に、その検索対象の表示部分に色や太線などを付加することでその検索対象を識別表示させる（ステップＢ８）。その後、上述のステップＢ１に戻る。ここで、再度、シングルタッチを検出すると（ステップＢ１でＹＥＳ）、上述のステップＢ２〜Ｂ４が実行される。その際、タッチ位置に該当する表示部分が検索対象として特定されても（ステップＢ４でＹＥＳ）、その表示部分が検索対象として一時記憶されている特定済みであれば（ステップＢ５でＹＥＳ）、その検索対象を取り消すためにその識別表示を消去すると共にワークメモリ３ｂに一時記憶されている検索対象を消去する処理（ステップＢ６）を行った後、上述のステップＢ１に戻る。
【００４１】
また、図３（３）に示すように別の検索対象を新たに追加指定するために、再度、シングルタッチが行われると（ステップＢ１でＹＥＳ）、制御部１は、そのタッチ位置に該当する表示部分が検索対象であること（ステップＢ４でＹＥＳ）、検索対象として一時記憶されている特定済みではないこと（ステップＢ５でＮＯ）を条件に、その新たに指定された検索対象（表示データとその種類）と指定タッチ操作の種類（タッチ）を対応付けてワークメモリ３ｂに追加記憶（ステップＢ７）させると共に、その検索対象の表示部分を識別表示させる（ステップＢ８）。
【００４２】
タッチ操作がフリック操作であれば（ステップＢ９でＹＥＳ）、そのフリック操作は、上方向又は下方向フリックであるか、つまり、図４（１）、（２）に示したように、検索対象を指定する指定タッチ操作としてフリック操作が行われたのかを調べる（ステップＢ１０）。いま、図３（１）〜（３）に示したように、フリック方向が上方向又は下方向でない場合には（ステップＢ９でＹＥＳ、ステップＢ１０でＮＯ）、次のステップＢ１１に移り、そのフリック操作は、左方向又は右方向フリックであるか、つまり通常の逐次送り操作が行われたのかを調べる。左方向又は右方向フリックであれば（ステップＢ１１でＹＥＳ）、そのフリック方向をワークメモリ３ｂに一時記憶させる（ステップＢ１２）。その後、図７及び図８のフローから抜ける。
【００４３】
一方、図４（１）、（２）に示したようなフリック方向が上方向又は下方向であれば（ステップＢ１０でＹＥＳ）、図８のステップＢ１３に移り、そのタッチ開始位置を検出し、その検出位置に該当する表示部分を特定する（ステップＢ１４）。例えば、図４（１）、（２）に示したように、人物（男性）の顔部分を特定する。そして、検索条件テーブル３ｃを参照し、この表示部分は検索対象であるかを判別し（ステップＢ１５）、検索対象（人物の顔、撮影日時、撮影場所）でなければ（ステップＢ１５でＮＯ）、今回のフリックを無効とするために図７のステップＢ１に戻る。
【００４４】
検索対象であれば（ステップＢ１５でＹＥＳ）、その検索対象（表示データとその種類）と指定タッチ操作の種類（上方向フリック又は下方向フリック）を対応付けてワークメモリ３ｂに一時記憶（ステップＢ１６）させた後、図７のステップＢ８に移り、その検索対象の表示部分を識別表示させる。なお、この場合においても検索対象として一時記憶されている特定済みの表示部分が再度指定された場合には、その検索対象の指定を取り消す処理を行うようにしてもよい。また、一時記憶されている特定済みの表示部分が再度指定されたが指定タッチ操作の種類が異なる場合には、新たな指定タッチ操作の種類に更新するようにしてもよい。
【００４５】
更に、検索対象を指定するタッチ操作が、マルチタッチ操作であれば（図８のステップＢ１７でＹＥＳ）、指定タッチ操作とみなして、マルチタッチのタッチ位置をそれぞれ検出し（ステップＢ１８）、この検出位置毎に該当する表示部分を特定して（ステップＢ１９）、各表示部分は検索対象であるかを判別する（ステップＢ２０）。ここで、いずれか一つでも検索対象でなければ（ステップＢ２０でＮＯ）、今回のマルチタッチを無効とするために図７のステップＢ１に戻るが、すべての表示部分が検索対象であれば（ステップＢ２０でＹＥＳ）、各検索対象（表示データとその種類）と指定タッチ操作の種類（タッチ）を対応付けてワークメモリ３ｂに一時記憶（ステップＢ２１）させた後、図７のステップＢ８に移り、その検索対象の表示部分を識別表示させる。
【００４６】
なお、この場合においても検索対象として一時記憶されている特定済みの表示部分が再度指定された場合には、その検索対象の指定を取り消す処理を行うようにしてもよい。
【００４７】
更に、検索対象を指定するタッチ操作が、図４（３）、（４）に示したピンチイン又はピンチアウトであれば（図８のステップＢ２２でＹＥＳ）、指定タッチ操作とみなして、マルチタッチの開始位置をそれぞれ検出し（ステップＢ２３）、この検出位置毎に該当する表示部分を特定して（ステップＢ２４）、各表示部分は検索対象であるかを判別する（ステップＢ２５）。ここで、いずれか一つでも検索対象でなければ（ステップＢ２５でＮＯ）、今回のマルチタッチを無効とするために図７のステップＢ１に戻るが、すべての表示部分が検索対象であれば（ステップＢ２５でＹＥＳ）、各検索対象（表示データとその種類）と指定タッチ操作の種類（ピンチイン又はピンチアウト）を対応付けてワークメモリ３ｂに一時記憶（ステップＢ２６）させた後、図７のステップＢ８に移り、その検索対象の表示部分を識別表示させる。
【００４８】
なお、この場合においても検索対象として一時記憶されている特定済みの表示部分が再度指定された場合には、その検索対象の指定を取り消す処理を行うようにしてもよい。また、一時記憶されている特定済みの表示部分が再度指定されたが指定タッチ操作の種類が異なる場合には、新たな指定タッチ操作の種類に更新するようにしてもよい。
【００４９】
このようにしてタッチ検出処理（図６のステップＡ３）が終わると、図６のステップＡ４に移り、ワークメモリ３ｂ内に検索対象が１つでも記憶されているか否か、つまり、タッチ位置に該当する表示部分が検索対象として特定されたか否かを判別する。言い換えれば、１枚毎に画像を逐次送って再生させる通常の逐次送り操作が行われたのか、ユーザの所望する画像を検索して再生させる特殊な画像送り操作（検索送り操作）が行われたのかを判別する。
【００５０】
ここで、検索対象が一時記憶されていなければ（ステップＡ４でＮＯ）、つまり、検索対象が特定されていなければ、通常の逐次送り操作が行われた場合であると判断して次のステップＡ６に移り、逐次送り用画像を取得する処理を実行する。この処理は、ワークメモリ３ｂ内からフリック方向を取得し、図２（２）に示すような保存画像群の中から１枚毎にフリック方向と同じ方向に配列されている次の画像を読み出す処理である。また、ワークメモリ３ｂ内に検索対象が一時記憶されていれば（ステップＡ４でＹＥＳ）、つまり、検索対象が特定されていれば、特殊な画像送り操作（検索送り操作）が行われた場合であると判断して、後述する検索送り用画像を検索取得する処理（ステップＡ５）の実行に移る。
【００５１】
なお、上述のようにワークメモリ３ｂ内に検索対象が１つでも一時記憶されているか否かに基づいて通常の逐次送り操作が行われたのか、検索送り操作が行われたのかを判別するようにしているため、例えば、複数の検索対象を指定する操作が行われてワークメモリ３ｂ内に複数の検索対象が記憶されていても、その後の取り消し操作（特定済み検索対象への再指定操作）によってすべての検索対象が取り消されてその数がゼロとなった場合には、通常の逐次送り操作が行われたものと判断し、逐次送り用画像を取得する処理に移る（ステップＡ６）。
【００５２】
図９は、検索送り用画像の検索取得処理（図６のステップＡ５）を詳述するためのフローチャートである。
先ず、制御部１は、ワークメモリ３ｂ内から一時記憶されている検索対象の種類を取得（ステップＣ１）すると共に、指定タッチ操作の種類を取得し（ステップＣ２）、この検索対象の種類と指定タッチ操作の種類に基づいて検索条件テーブル３ｃを検索することにより（ステップＣ３）、「検索対象の種類」及び「指定タッチ操作の種類」に対応付けられている検索条件を取得する（ステップＣ４）。例えば、「検索対象の種類」が「人物の顔」の場合において、「指定タッチ操作の種類」が“タッチ”であれば、“フリック方向に配列されている同一人物を含む画像を検索”を取得し、“上方向フリック”であれば、“フリック方向に配列されている同一人物を含み、かつ笑顔の画像を検索”を取得し、“下方向フリック”であれば、“フリック方向に配列されている同一人物を含み、かつ目を瞑っていない画像を検索”を取得する。
【００５３】
次に、ワークメモリ３ｂ内から検索対象（表示データ）を取得（ステップＣ５）すると共に、画像送り操作（フリック操作）の方向を取得する（ステップＣ６）。そして、検索対象は複数であるかを調べ（ステップＣ７）、複数であれば（ステップＣ７でＹＥＳ）、予め設定されている情報（ＡＮＤ条件又はＯＲ条件）を取得する（ステップＣ８）。そして、次のステップＣ９では、上述のようにして取得した検索対象（表示データ）、検索条件、フリック操作の方向、設定情報（ＡＮＤ条件又はＯＲ条件）に基づいて、保存画像群を検索することにより、該当する画像を読み出す。なお、この検索時において検索対象が人物の顔の場合には、保存画像を解析しながら該当する画像（同一人物を含む画像）であるか否かを判断するようにしているが、撮影日時、撮影場所の場合には、保存画像に付加されているＥｘｉｆ情報を参照し、例えば、撮影日時、撮影場所を含む画像であるか否かなどを判断する。
【００５４】
このようにして送り用の画像を取得する処理（ステップＡ５、Ａ６）が終わると、取得した画像を表示部６ａに切り替え表示させ、検索対象となっている人物の顔、撮影日時、又は撮影場所を識別表示する（ステップＡ７）。以上の処理により１回の検索処理が行われ、再生モードが解除されるまでは（ステップＡ８でＮＯ）、上述のステップＡ２に戻り、引き続き左方向フリック操作又は右方向フリック操作が行われる毎に、図２（３）（４）（５）のように次の検索処理を行う。そして、再生モードが解除されると（ステップＡ８でＹＥＳ）、図６のフローから抜ける。なお、検索取得処理により取得された画像を表示している状態でも、シングルタッチ操作、上方向又は下方向フリック操作、マルチタッチ操作、ピンチイン操作又はピンチアウト操作により検索対象や指定タッチ操作の種類を変更したり、検索対象を取り消したりすることができる。
【００５５】
以上のように、第１実施形態において制御部１は、所定の画像送り操作が行われた際に、タッチ操作によって予め任意に指定された表示部分が検索対象として特定されているか否かの判別結果を参照し、検索対象を特定していなければ、所定の基準で配列されている保存画像群の中からその順方向又は逆方向の順に逐次選択した画像を表示部６ａに表示させる表示制御（通常の逐次送り処理）を行い、検索対象を特定していれば、この検索対象に基づいて検索条件テーブル３ｃを参照して該当する検索条件を取得し、保存画像群の中から表示中の画像を除く他の画像をその検索条件を基に検索して表示部６ａに表示させる表示制御（検索送り処理）を行うようにしたので、同じ画像送り操作であっても通常の逐次送り処理と検索送り処理とを区別して実行することができ、通常の逐次送り操作（フリック操作）と検索送り操作（タッチ開始位置で検索対象を指定するフリック操作）との親和性を高めることができ、所望する画像の表示を指示する際の操作性を大幅に向上させることが可能となる。
【００５６】
制御部１は、タッチ位置に該当する表示部分が所定のデータであれば、その表示部分を検索対象として特定するようにしたので、タッチ操作によって任意に指定された表示部分が所定のデータであるか否かに基づいて、通常の逐次送り操作と検索送り操作とを区別することが可能となる。
【００５７】
制御部１は、検索対象として特定した表示部分に基づいて、保存画像群の中からその表示部分が含まれる他の画像を検索するようにしたので、タッチ操作によって任意に指定された画像内の一部分を共通の被写体として他の画像を検索することができ、共通の被写体を含む他の画像を容易に検索することが可能となる。
【００５８】
制御部１は、画像検索を行う際に、所定の画像送り操作が順方向への画像送りを指示する操作であれば、順方向に配列されている画像を検索し、逆方向への画像送りを指示する操作であれば、逆方向に配列されている画像を検索するようにしたので、ユーザの意向に応じて検索範囲を選択することができる他、効率の良い検索が可能となる。
【００５９】
制御部１は、複数のタッチ位置の各々に該当する表示部分を検索対象としてそれぞれ特定すると共に、その複数の表示部分が含まれる画像を保存画像群の中から検索するようにしたので、例えば、共通する複数の被写体を含む画像のみを検索することができる。この場合、種類の異なる複数の検索対象の組み合せを検索するようにしてもよい。
【００６０】
制御部１は、人物の顔部分に対してタッチ操作された際にそのタッチ位置に該当する顔部分を検索対象として特定し、この顔部分が含まれる他の画像を検索するようにしたので、例えば、子供や友人などを撮影した画像のみを検索することができる。この場合、検索対象が複数の人物の顔部分であれば、グループや家族などを撮影した画像のみを検索することができる。
【００６１】
制御部１は、タッチ操作の種類に基づいて検索条件テーブル３ｃから検索条件を取得し、この検索条件に基づいて保存画像群を検索するようにしたので、タッチ操作の種類を変えるだけで、色々な検索が可能となる。
【００６２】
制御部１は、既に検索対象として特定した表示部分に該当する位置がタッチ操作された際には、その検索対象の特定を解除するようにしたので、検索対象の指定を間違えたとしても当該表示部分を再度タッチするだけで、その間違えを正すことが可能となり、容易に修正することができる。
【００６３】
制御部１は、保存画像群の中から検索対象の表示部分が含まれる画像を検索して表示させる場合に、その表示部分を識別可能に表示させるようにしたので、ユーザにあっては画像内のどの表示部分をタッチ操作したかを目視確認しながらタッチ操作を行うことができ、誤操作を効果的に抑えることが可能となる。
【００６４】
タッチ操作は、フリック操作であり、制御部１は、フリック操作のタッチ開始位置に該当する表示部分を検索対象として特定すると共に、フリック操作の方向を検索条件の一部としたので、検索条件をより詳細に指定することが可能となる。
【００６５】
なお、上述した第１実施形態においては、検索対象を“人物の顔”、“撮影日時”、“撮影場所”とした場合を例示したが、その他、自動車、ペット、花などを検索対象として指定可能としてもよい。更に、色を検索対象として指定可能としてもよい。
図１０は、色を検索対象として指定する場合の指定タッチ操作を示し、図示の例は、芝生の色を指定するためにその部分で領域指定（色指定）を行った場合を示している。この領域指定（色指定）は、図示のように円弧を描くように、又は、矩形領域を描くようにタッチ操作（スライド操作）を行えばよい。なお、領域指定された色に基づいて画像を検索する場合、圧縮画像を伸張せず、付加情報内のサムネイル画像を検索するようにしてもよい。また、領域指定は風景、背景などを指定する場合であってもよい。
【００６６】
上述した第１実施形態においては、人物の顔から同一人物を検索するようにしたが、更に誰であるかを認識可能とするために、図１１に示すような名前テーブルを設けてもよい。この名前テーブルは、人物の「名前」と顔画像や顔の特徴を示す「特徴情報」とを対応付けて記憶するもので、制御部１は、人物の顔が検索対象の場合に、図１１の名前テーブルを参照し、「特徴情報」が一致する「名前」が記憶されていれば、その「名前」を読み出して、検索画像の再生画面に付加表示するようにしてもよい。
【００６７】
上述した第１実施形態においては、人物の顔から同一人物を検索する場合に、保存画像を画像解析することによって同一人物を含む画像を検索するようにしたが、画像検索の高速化を図るために、予め各人物の特徴情報を保存画像に付加情報（Ｅｘｉｆ）情報として記憶したり、検索用のテーブル（図示省略）に人物の特徴情報を記憶したりするようにしてもよい。
【００６８】
上述した第１実施形態においては、撮影日時、撮影場所の情報を保存画像の付加情報（Ｅｘｉｆ）情報としたが、検索用テーブル（図示省略）などに撮影日時、撮影場所の情報を記憶するようにしてもよい。
【００６９】
上述した第１実施形態においては、所定の画像送り操作としてフリック操作を例示したが、これに限らず、例えば、十字キーなどのハードキーを操作することによって画像送りを指示するようにしてもよい。
【００７０】
上述した第１実施形態においては、上方向又は左方向フリック操作により検索対象を絞り込む追加の検索条件を追加するようにしたが、それに限らず、その検索対象を除くことを意味するＮＯＴ（否定）を検索条件とするようにしてもよい。
【００７１】
上述した第１実施形態においては、複数の検索対象の場合には、ＡＮＤ条件又はＯＲ条件を検索条件としたが、それに限らず、その一部の検索対象を除くことを意味するＸＯＲ（排他的論理和）を検索条件とするようにしてもよい。
【００７２】
（第２実施形態）
以下、この発明の第２実施形態について図１２及び図１３を参照して説明する。
なお、上述した第１実施形態においては、検索対象を指定する指定タッチ操作を行ってから所定の画像送り操作を行うようにしたが、この第２実施形態においては、検索対象を指定する操作と画像送り操作とを１回のフリック操作によって実現可能とする共に、保存画像群の中のどの範囲内を検索するかをユーザの意向に応じて選択できるようにしたものである。ここで、両実施形態において基本的あるいは名称的に同一のものは、同一符号を付して示し、その説明を省略すると共に、以下、第２実施形態の特徴部分を中心に説明するものとする。
【００７３】
図１２は、第２実施形態において、検索送りモードでの動作概要を説明するための図である。
第２実施形態では、所定の基準で配列されている保存画像群の中からその順方向又は逆方向の順に逐次選択した画像を表示部６ａに表示させる通常の逐次送りモードと、保存画像群の中から表示中の画像を除く他の画像を検索して表示部６ａに表示させる検索送りモードとをモード切替キーを操作することによって任意に切り替え可能となっている。
【００７４】
図１２（１）は、人物Ａ、Ｂ、Ｃ、Ｄを含む画像が再生画面に表示されている状態を示している。図１２（２）は、逐次送りモードから検索送りモードに切り替えられた場合の表示状態を示し、再生画面の所定位置（図示の例では右下角部）には、検索送りモードに切り替えられたことを示すマークＳが追加表示される。図１２（２）は、検索対象を指定するためにユーザの所望する人物の顔部分をタッチ開始位置として画像送り操作（フリック操作）を行った状態を示し、図示の例では、人物Ａの顔部分から右方向にフリック操作した場合を示している。図１２（４）は、このフリック操作に応じて表示された他の画像を示し、制御部１は、人物Ａを含む他の画像（図示の例は人物Ａ、Ｂを含む画像）を保存画像群の中から検索して再生画面に表示させると共に、タッチされた人物Ａの顔部分を識別表示させた状態を示している。
【００７５】
図１３は、第２実施形態における再生モードでの特徴的な動作を示したフローチャートである。
先ず、制御部１は、所定の基準で配列されている保存画像群の中から前回表示していた画像があればその画像を、なければその先頭画像を読み出して再生画面に表示（ステップＤ１）させた後、フリック操作の有無をチェックし（ステップＤ２）、フリック操作が行われなければ（ステップＤ２でＮＯ）、送りモードを切り替える操作が行われたかを調べたり（ステップＤ７）、再生モードを解除する操作が行われたかを調べたりする（ステップＤ９）。ここで、送りモードを切り替える操作が行われた場合には（ステップＤ７でＹＥＳ）、逐次送りモードと検索送りモードとを切り替える処理（ステップＤ８）を行った後、上述のステップＤ２に戻る。
【００７６】
フリック操作が行われた際に（ステップＤ２でＹＥＳ）、逐次送りモードであれば（ステップＤ３でＹＥＳ）、フリック操作の方向を検出して（ステップＤ４）、そのフリック方向に配列されている保存画像群を検索し、表示されている画像の次の画像を逐次送り用の画像として読み出し取得し（ステップＤ５）、再生画面に切り替え表示（ステップＤ６）させた後、上述のステップＤ２に戻る。一方、フリック操作が行われた際に（ステップＤ２でＹＥＳ）、検索送りモードであれば（ステップＤ３でＮＯ）、フリック操作のタッチ開始位置を検出し（ステップＤ１０）、このタッチ開始位置に該当する表示部分を特定し（ステップＤ１１）、この表示部分に基づいて検索条件テーブル３ｃを参照し、特定した表示部分は所定のデータ（人物の顔、撮影日時、撮影場所）であるか否かに基づいて表示部分は検索対象であるか否かを調べる（ステップＤ１２）。
【００７７】
ここで、検索対象（人物の顔、撮影日時、撮影場所）でなければ（ステップＤ１２でＮＯ）、今回のフリック操作を無効とするためにエラー表示（“検索対象を検出できませんでした”のメッセージ表示）を行い（ステップＤ１７）、上述のステップＤ２に戻る。また、検索対象であれば（ステップＤ１２でＹＥＳ）、フリック操作の方向を検出して（ステップＤ１３）、そのフリック方向に配列されている保存画像群を検索し、表示されている画像を除く他の画像（検索対象を含む画像）を検索送り用の画像として読み出し取得し（ステップＤ１４）、再生画面に切り替え表示させる（ステップＤ１５）。その後、検索対象を識別表示（ステップＤ１６）させた後、上述のステップＤ２に戻る。
このように逐次送りモードに切り替えられている状態においてフリック操作が行われた場合には、逐次送り処理を行うが、検索送りモードに切り替えられている状態においてフリック操作が行われた場合には、検索送り処理を行うようにしている。
【００７８】
以上のように、第２実施形態において制御部１は、タッチパネル上でフリック操作が行われた際に、表示部６ａに表示されている表示データの中からフリック操作のタッチ開始位置に該当する表示部分を検索対象として特定すると共に、フリック操作の方向に基づいて、所定の基準で配列されている複数の画像の順方向又は逆方向を検索方向として特定し、その表示部分に基づいて、その検索方向に配列されている画像の中から表示されている画像を除く他の画像を検索して表示させるようにしたので、検索対象を指定する操作と画像送り操作とを１回のフリック操作で実現可能とする共に、保存画像群の中のどの範囲内を検索するかをユーザの意向に応じて選択することができ、フリック操作を行うだけで所望する画像を検索することができ、所望する画像の表示を指示する際の操作性を大幅に向上させることが可能となる他、所望する画像を効率良く検索することが可能となる。
【００７９】
制御部１は、検索対象に基づいて保存画像群を検索する場合に、その検索対象の表示部分が含まれる画像を検索するようにしたので、タッチ開始位置に該当する表示部分を共通の被写体として他の画像を検索することができ、共通の被写体を含む他の画像を容易に検索することが可能となる。
【００８０】
制御部１は、所定の条件を満たす場合（検索送りモードに切り替えられている場合）には、フリック操作の方向に配列されている画像の中から他の画像を検索して表示させる表示制御（検索送り処理）を行い、所定の条件を満たさない場合（逐次送りモードに切り替えられている場合）には、所定の基準で配列されている複数の画像の中からその順方向又は逆方向の順に選択された画像を表示させる表示制御（通常の逐次送り処理）を行うようにしたので、同じフリック操作であっても通常の逐次送り処理と検索送り処理とを区別して実行することができる。
【００８１】
なお、上述した第２実施形態においては、所定の条件を満たす場合（検索送りモードに切り替えられている場合）には、検索送り処理を行い、所定の条件を満たさない場合（逐次送りモードに切り替えられている場合）には、通常の逐次送り処理を行うようにしたが、所定の条件は、送りモードに限らず、図１４に示すものであってもよい。
図１４は、第２実施形態の変形例を説明するための図で、検索対象を指定する操作と画像送り操作とを１回のフリック操作で実現可能とする点は、第２実施形態と同様であるが、所定の条件がそれぞれ異なる場合を例示した図である。
【００８２】
図１４（１）は、図１２（１）と同様に人物Ａ、Ｂ、Ｃ、Ｄを含む画像の表示状態を示している。図１４（２）は、フリック操作の開始位置でユーザの所望する人物Ａの顔部分がタッチされた状態を示している。図１４（３）は、図１４（２）の状態（フリック開始位置）で所定時間（例えば、１秒）以上停止していた場合を示し、その開始位置に該当する表示部分が検索対象であれば、その検索対象が識別表示（例えば、太枠表示）されることを示している。
【００８３】
図１４（４）は、フリック開始位置から所定時間以上停止してからフリック操作を行った状態を示し、図示の例では右方向へのフリック操作を示している。このようにフリック操作が行われると、制御部１は、フリック操作の開始時にそのタッチ開始時からの停止時間を測定するタイマ（図示省略）を参照し、フリック操作の開始時にその位置で所定時間以上停止していたか否かを判別し、所定時間以上停止していれば、所定の条件を満たすものと判断して、検索送り処理を行うが、所定時間以上停止していなければ、所定の条件を満たさないものと判断して、通常の逐次送り処理を行う。
【００８４】
図１４（５）は、検索送り処理の実行によって検索対象を含む画像が検索されて表示された状態を示し、フリック開始時に指定された検索対象（人物Ａの顔部分）は、引き続いて識別表示（太枠表示）される。なお、所定の時間以上の停止を検出したとしても検索対象を特定することができなかった場合には、第２実施形態と同様に、今回のフリック操作を無効とするためにエラー表示（“検索対象を検出できませんでした”のメッセージ表示）を行うようにしている。このようにフリック開始時にその位置で所定時間以上停止していることを所定の条件とすることにより、送りモードを切り替える操作を行うことなくフリック操作を行うだけで所望する画像を検索することができ、所望する画像の表示を指示する際の操作性を大幅に向上させることが可能となる。
【００８５】
図１４（６）は、再生画面に画像を表示する際に、画像内に含まれている所定のデータ（人物の顔、撮影日時、撮影場所）、すなわち検索対象となりうるデータを検出してそのデータを識別表示（例えば、太枠表示）した状態を示している。このように予め検索対象
となりうるデータを識別表示している状態において、ユーザは所望する検索対象を指定するために識別表示されているいずれかのデータフリック操作の開始位置をとしてフリック操作する。図１４（７）は、フリック操作の開始位置としてユーザの所望する検索対象（人物Ａの顔部分）がタッチされた状態を示し、図示の例では、右方向へのフリック操作を示している。
【００８６】
このようにフリック操作が行われると、制御部１は、そのフリック開始時に、識別表示されている検索対象の位置からフリック操作を行われたか否かを判別し、識別表示されている検索対象の位置からのフリック開始であれば、所定の条件を満たすものと判断して、検索送り処理を行うが、識別表示されている検索対象の位置からのフリック開始でなければ、所定の条件を満たさないものと判断して、通常の逐次送り処理を行うようにしている。
【００８７】
図１４（８）は、検索送り処理の実行によって検索対象を含む画像が検索されて表示された状態を示し、フリック開始時に指定された検索対象（人物Ａの顔部分）は、引き続いて識別表示（太枠表示）される。なお、再生中の画像内に検索対象が１つも含まれていない場合には、通常の逐次送り処理を行うようにすればよい。このようにフリック操作の開始時に検索対象の位置からフリック操作が行われたことを所定の条件することにより、フリック操作を行うだけで所望する画像を検索することができ、所望する画像の表示を指示する際の操作性を大幅に向上させることが可能となる。
【００８８】
また、上述した第２実施形態、及び図１４に示したその変形例においては、フリック開始時に１つの検索対象を指定する場合を例示したが、マルチタッチによるフリック操作により複数の検索対象を指定するようにしてもよい。
【００８９】
また、上述した各実施形態においては、画像表示装置として撮像装置（デジタルカメラ）に適用した場合を示したが、これに限らず、例えば、パーソナルコンピュータ、ＰＤＡ（個人向け携帯型情報通信機器）、タブレット端末装置、スマートフォンなどの携帯電話機、電子ゲーム、音楽プレイヤーなどであってもよい。
【００９０】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００９１】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
タッチパネルを有するタッチ入力部と、画像を表示する表示部を備える画像表示装置であって、
前記タッチパネル上でタッチ操作が行われた際のタッチ位置を取得する位置取得手段と、
前記表示部に表示されている表示データの中から前記位置取得手段により取得されたタッチ位置に該当する表示部分を検索対象として特定する特定手段と、
前記特定手段により検索対象が特定されているか否かを判別する判別手段と、
所定の画像送り操作が行われた際に、前記判別手段によって検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定手段によって特定された表示部分に基づいて前記複数の画像の中から前記表示されている画像を除く他の画像を検索して前記表示部に表示させる表示制御を行う表示制御手段と、
を備えることを特徴とする。
（請求項２）
請求項２に記載の発明は、請求項１に記載の画像表示装置において、
前記特定手段は、前記タッチ位置に該当する表示部分が所定のデータであれば、その表示部分を検索対象として特定する、
ことを特徴とする。
（請求項３）
請求項３に記載の発明は、請求項１又は２に記載の画像表示装置において、
前記表示制御手段は、前記特定手段によって検索対象として特定された表示部分に基づいて、前記複数の画像の中から前記他の画像を検索する場合に、その表示部分が含まれる画像を検索する、
ことを特徴とする。
（請求項４）
請求項４に記載の発明は、請求項１乃至３のいずれか１項に記載の画像表示装置において、
前記表示制御手段は、前記特定手段によって検索対象として特定された表示部分に基づいて、所定の基準で配列されている複数の画像の中から前記他の画像を検索する際に、前記画像送り操作が順方向への画像送りを指示する操作であれば、順方向に配列されている画像を検索し、逆方向への画像送りを指示する操作であれば、逆方向に配列されている画像を検索する、
ことを特徴とする。
（請求項５）
請求項５に記載の発明は、請求項１乃至４のいずれか１項に記載の画像表示装置において、
前記特定手段は、前記位置取得手段によって複数のタッチ位置が取得された場合には、これらの複数のタッチ位置の各々に該当する表示部分を検索対象としてそれぞれ特定し、
前記表示制御手段は、前記判別手段により複数の検索対象が特定されていると判別されている場合に、その複数の表示部分が含まれる画像を前記複数の画像の中から検索する、
ことを特徴とする。
（請求項６）
請求項６に記載の発明は、請求項１乃至５のいずれか１項に記載の画像表示装置において、
前記特定手段は、前記表示部に表示されている画像データの中から人物の顔部分に対してタッチ操作された際にそのタッチ位置に該当する顔部分を検索対象として特定し、
前記表示制御手段は、前記複数の画像の中から前記他の画像を検索する場合に、前記顔部分が含まれる他の画像を検索する、
ことを特徴とする。
（請求項７）
請求項７に記載の発明は、請求項１乃至６のいずれか１項に記載の画像表示装置において、
前記タッチパネル上でタッチ操作が行われた際にそのタッチ操作の種類を検出する検出手段と、
前記検出手段によって検出されたタッチ操作の種類に基づいて、前記検索対象を検索するための検索条件を取得する検索条件取得手段と、
を更に備え、
前記表示制御手段は、前記判別手段によって検索対象が特定されていると判別されている場合に、前記検索条件取得手段によって取得された検索条件に基づいて、前記複数の画像の中から前記他の画像を検索する、
ことを特徴とする。
（請求項８）
請求項８に記載の発明は、請求項１乃至７のいずれか１項に記載の画像表示装置において、
前記特定手段は、既に検索対象として特定されている表示部分に該当する位置がタッチ操作された際には、その検索対象の特定を解除する、
ことを特徴とする。
（請求項９）
請求項９に記載の発明は、請求項１乃至８のいずれか１項に記載の画像表示装置において、
前記表示制御手段は、前記特定手段によって検索対象として特定された表示部分に基づいて、前記複数の画像の中から前記検索対象の表示部分が含まれる画像を検索して前記表示部に表示させる場合に、この検索された画像内の前記表示部分を識別可能に表示させる表示制御を併せて行う、
ことを特徴とする。
（請求項１０）
請求項１０に記載の発明は、請求項１乃至９のいずれか１項に記載の画像表示装置において、
前記タッチ操作がフリック操作の場合に、そのフリック操作の方向を検出するフリック方向検出手段を更に備え、
前記特定手段は、前記位置取得手段により取得されたフリック操作のタッチ開始位置に該当する表示部分を検索対象として特定し、
前記表示制御手段は、前記特定手段によって特定された表示部分に基づいて前記複数の画像の中から前記他の画像を検索する場合に、前記フリック方向検出手段によって検出されたフリック方向を検索条件の一部として検索を行う、
ことを特徴とする。
（請求項１１）
請求項１１に記載の発明は、
タッチパネルを有するタッチ入力部と、画像を表示する表示部を備える画像表示装置であって、
前記タッチパネル上でフリック操作が行われた際のタッチ開始位置を取得する位置取得手段と、
前記タッチパネル上でフリック操作が行われた際に、前記表示部に表示されている表示データの中から前記位置取得手段により取得されたフリック操作のタッチ開始位置に該当する表示部分を検索対象として特定すると共に、前記フリック方向に基づいて、所定の基準で配列されている複数の画像の順方向又は逆方向を検索方向として特定する特定手段と、
前記特定手段によって特定された表示部分に基づいて、前記特定手段により特定された検索方向に配列されている画像の中から前記表示されている画像を除く他の画像を検索して前記表示部に表示させる表示制御を行う表示制御手段と、
を備えることを特徴とする。
（請求項１２）
請求項１２に記載の発明は、請求項１１に記載の画像表示装置において、
前記表示制御手段は、前記特定手段によって特定された表示部分に基づいて、前記複数の画像の中から前記他の画像を検索する場合に、その表示部分が含まれる画像を検索する、
ことを特徴とする。
（請求項１３）
請求項１３に記載の発明は、請求項１１又は１２に記載の画像表示装置において、
前記表示制御手段は、所定の条件を満たす場合には、前記特定手段によって特定された表示部分に基づいて、前記特定手段により特定された検索方向に配列されている画像の中から前記表示部に表示されている画像を除く他の画像を検索して前記表示部に表示させる表示制御を行い、前記所定の条件を満たさない場合には、所定の基準で配列されている複数の画像の中からその順方向又は逆方向の順に選択された画像を前記表示部に表示させる表示制御を行う、
ことを特徴とする。
（請求項１４）
請求項１４に記載の発明は、請求項１３に記載の画像表示装置において、
前記検索を行うか否かを設定する設定手段を更に備え、
前記所定の条件を満たす場合とは、前記設定手段によって検索を行うことが設定されている場合である、
ことを特徴とする。
（請求項１５）
請求項１５に記載の発明は、請求項１３に記載の画像表示装置において、
前記フリック操作のタッチ開始時の停止時間を測定する測定手段を更に備え、
前記所定の条件を満たす場合とは、前記測定手段によって測定された停止時間が所定の時間以上の場合である、
ことを特徴とする。
（請求項１６）
請求項１６に記載の発明は、請求項１３に記載の画像表示装置において、
前記表示部に表示される表示データのうち、前記検索対象の候補となる表示部分を識別可能に表示する識別表示手段を更に備え、
前記所定の条件を満たす場合とは、前記フリック操作のタッチ開始位置が前記識別表示手段によって識別表示されている表示部分の場合である、
ことを特徴とする。
（請求項１７）
請求項１７に記載の発明は、
タッチパネルを有するタッチ入力部と、画像を表示する表示部を備える画像表示装置における表示制御方法であって、
前記タッチパネル上でタッチ操作が行われた際のタッチ位置を取得する処理と、
前記表示部に表示されている表示データの中から前記取得されたタッチ位置に該当する表示部分を検索対象として特定する処理と、
前記検索対象が特定されているか否かを判別する処理と、
所定の画像送り操作が行われた際に、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う処理と、
を含むことを特徴とする。
（請求項１８）
請求項１８に記載の発明は、
タッチパネルを有するタッチ入力部と、画像を表示する表示部を備える画像表示装置のコンピュータに対して、
前記タッチパネル上でタッチ操作が行われた際のタッチ位置を取得する機能と、
前記表示部に表示されている表示データの中から前記取得されたタッチ位置に該当する表示部分を検索対象として特定する機能と、
前記検索対象が特定されているか否かを判別する機能と、
所定の画像送り操作が行われた際に、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う機能と、
を実現させるためのプログラムである。
（請求項１９）
請求項１９に記載の発明は、
タッチパネルを有するタッチ入力部と、画像を表示する表示部を備える画像表示装置における表示制御方法であって、
前記タッチパネル上でフリック操作が行われた際のタッチ開始位置を取得する処理と、
前記タッチパネル上でフリック操作が行われた際に、前記表示部に表示されている表示データの中から前記取得されたフリック操作のタッチ開始位置に該当する表示部分を検索対象として特定すると共に、前記フリック方向に基づいて、所定の基準で配列されている複数の画像の順方向又は逆方向を検索方向として特定する処理と、
前記特定された表示部分に基づいて、前記特定された検索方向に配列されている画像の中から前記表示されている画像を除く他の画像を検索して前記表示部に表示させる表示制御を行う処理と、
を含むことを特徴とする。
（請求項２０）
請求項２０に記載の発明は、
タッチパネルを有するタッチ入力部と、画像を表示する表示部を備える画像表示装置のコンピュータに対して、
前記タッチパネル上でフリック操作が行われた際のタッチ開始位置を取得する機能と、
前記タッチパネル上でフリック操作された際に、前記表示部に表示されている表示データの中から前記取得されたフリック操作のタッチ開始位置に該当する表示部分を検索対象として特定すると共に、前記フリック方向に基づいて、所定の基準で配列されている複数の画像の順方向又は逆方向を検索方向として特定する機能と、
前記特定された表示部分に基づいて、前記特定された検索方向に配列されている画像の中から前記表示されている画像を除く他の画像を検索して前記表示部に表示させる表示制御を行う機能と、
を実現させるためのプログラムである。
【符号の説明】
【００９２】
１  制御部
２  電源部
３  記憶部
３ａ  プログラムメモリ
３ｂ  ワークメモリ
３ｃ  検索条件テーブル
４  操作部
５  撮像部
６  タッチ表示部
６ａ  表示部
６ｂ  タッチ入力部
【図１】
2016218546.tif 000003
【図２】
2016218546.tif 000004
【図３】
2016218546.tif 000005
【図４】
2016218546.tif 000006
【図５】
2016218546.tif 000007
【図６】
2016218546.tif 000008
【図７】
2016218546.tif 000009
【図８】
2016218546.tif 000010
【図９】
2016218546.tif 000011
【図１０】
2016218546.tif 000012
【図１１】
2016218546.tif 000013
【図１２】
2016218546.tif 000014
【図１３】
2016218546.tif 000015
【図１４】
2016218546.tif 000016
【手続補正書】
【提出日】平成28年7月14日(2016.7.14)
【手続補正１】
【補正対象書類名】明細書
【補正対象項目名】０００７
【補正方法】変更
【補正の内容】
【０００７】
上述した課題を解決するために本発明は、
タッチパネルを有するタッチ入力部と、画像を表示する表示部を備える画像表示装置であって、
前記タッチパネル上でタッチ操作が行われた際のタッチ位置を取得する位置取得手段と、
前記表示部に表示されている表示データの中から前記位置取得手段により取得されたタッチ位置に該当する表示部分を検索対象として特定する特定手段と、
所定の画像送り操作の開始時に、前記特定手段により検索対象が特定されているか否かを判別する判別手段と、
前記所定の画像送り操作に応じて、前記判別手段によって検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定手段によって特定された表示部分に基づいて前記複数の画像の中から前記表示されている画像を除く他の画像を検索して前記表示部に表示させる表示制御を行う表示制御手段と、
を備えることを特徴とする。
【手続補正２】
【補正対象書類名】明細書
【補正対象項目名】００３７
【補正方法】変更
【補正の内容】
【００３７】
図６は、再生モードに切り替えられた際に実行開始される特徴的な動作を示したフローチャートである。
先ず、制御部１は、所定の基準で配列されている保存画像群の中から前回表示していた画像があればその画像を、なければ先頭画像を読み出して再生画面に表示（ステップＡ１）させた後、タッチ操作の有無をチェックし（ステップＡ２）、タッチ操作が行われなければ（ステップＡ２でＮＯ）、再生モードを解除する操作が行われたかを調べ（ステップＡ８）、再生モードを解除する操作が行われていなければ（ステップＡ８でＮＯ）、上述のステップＡ２に戻ってタッチ操作の有無をチェックし、以下、上述の動作を繰り返しながらタッチ操作待ちの状態となる。ここで、タッチ操作を検出すると（ステップＡ２でＹＥＳ）、タッチ検出処理に移る（ステップＡ３）。
【手続補正３】
【補正対象書類名】明細書
【補正対象項目名】００７４
【補正方法】変更
【補正の内容】
【００７４】
図１２（１）は、人物Ａ、Ｂ、Ｃ、Ｄを含む画像が再生画面に表示されている状態を示している。図１２（２）は、逐次送りモードから検索送りモードに切り替えられた場合の表示状態を示し、再生画面の所定位置（図示の例では右下角部）には、検索送りモードに切り替えられたことを示すマークＳが追加表示される。図１２（３）は、検索対象を指定するためにユーザの所望する人物の顔部分をタッチ開始位置として画像送り操作（フリック操作）を行った状態を示し、図示の例では、人物Ａの顔部分から右方向にフリック操作した場合を示している。図１２（４）は、このフリック操作に応じて表示された他の画像を示し、制御部１は、人物Ａを含む他の画像（図示の例は人物Ａ、Ｂを含む画像）を保存画像群の中から検索して再生画面に表示させると共に、タッチされた人物Ａの顔部分を識別表示させた状態を示している。
【手続補正４】
【補正対象書類名】特許請求の範囲
【補正対象項目名】全文
【補正方法】変更
【補正の内容】
【特許請求の範囲】
【請求項１】
タッチパネルを有するタッチ入力部と、画像を表示する表示部を備える画像表示装置であって、
前記タッチパネル上でタッチ操作が行われた際のタッチ位置を取得する位置取得手段と、
前記表示部に表示されている表示データの中から前記位置取得手段により取得されたタッチ位置に該当する表示部分を検索対象として特定する特定手段と、
所定の画像送り操作の開始時に、前記特定手段により検索対象が特定されているか否かを判別する判別手段と、
前記所定の画像送り操作に応じて、前記判別手段によって検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定手段によって特定された表示部分に基づいて前記複数の画像の中から前記表示されている画像を除く他の画像を検索して前記表示部に表示させる表示制御を行う表示制御手段と、
を備えることを特徴とする画像表示装置。
【請求項２】
前記特定手段は、前記タッチ位置に該当する表示部分が所定のデータであれば、その表示部分を検索対象として特定する、
ことを特徴とする請求項１に記載の画像表示装置。
【請求項３】
前記表示制御手段は、前記特定手段によって検索対象として特定された表示部分に基づいて、前記複数の画像の中から前記他の画像を検索する場合に、その表示部分が含まれる画像を検索する、
ことを特徴とする請求項１又は２に記載の画像表示装置。
【請求項４】
前記表示制御手段は、前記特定手段によって検索対象として特定された表示部分に基づいて、所定の基準で配列されている複数の画像の中から前記他の画像を検索する際に、前記画像送り操作が順方向への画像送りを指示する操作であれば、順方向に配列されている画像を検索し、逆方向への画像送りを指示する操作であれば、逆方向に配列されている画像を検索する、
ことを特徴とする請求項１乃至３のいずれか１項に記載の画像表示装置。
【請求項５】
前記特定手段は、前記位置取得手段によって複数のタッチ位置が取得された場合には、これらの複数のタッチ位置に該当する複数の表示部分を複数の検索対象としてそれぞれ特定し、
前記表示制御手段は、前記判別手段により複数の検索対象が特定されていると判別されている場合に、その複数の表示部分が含まれる画像を前記複数の画像の中から検索する、
ことを特徴とする請求項１乃至４のいずれか１項に記載の画像表示装置。
【請求項６】
前記特定手段は、前記表示部に表示されている画像データの中から人物の顔部分に対してタッチ操作された際にそのタッチ操作された顔部分を検索対象として特定し、
前記表示制御手段は、前記複数の画像の中から前記他の画像を検索する場合に、前記顔部分が含まれる他の画像を検索する、
ことを特徴とする請求項１乃至５のいずれか１項に記載の画像表示装置。
【請求項７】
前記タッチパネル上でタッチ操作が行われた際にそのタッチ操作の種類を検出する検出手段と、
前記検出手段によって検出されたタッチ操作の種類に基づいて、前記検索対象を検索するための検索条件を取得する検索条件取得手段と、
を更に備え、
前記表示制御手段は、前記判別手段によって検索対象が特定されていると判別されている場合に、前記検索条件取得手段によって取得された検索条件に基づいて、前記複数の画像の中から前記他の画像を検索する、
ことを特徴とする請求項１乃至６のいずれか１項に記載の画像表示装置。
【請求項８】
前記特定手段は、既に検索対象として特定されている表示部分に該当する位置がタッチ操作された際には、その検索対象の特定を解除する、
ことを特徴とする請求項１乃至７のいずれか１項に記載の画像表示装置。
【請求項９】
前記表示制御手段は、前記特定手段によって検索対象として特定された表示部分に基づいて、前記複数の画像の中から前記検索対象の表示部分が含まれる画像を検索して前記表示部に表示させる場合に、この検索された画像内の前記表示部分を識別可能に表示させる表示制御を併せて行う、
ことを特徴とする請求項１乃至８のいずれか１項に記載の画像表示装置。
【請求項１０】
前記タッチ操作がフリック操作の場合に、そのフリック操作の方向を検出するフリック方向検出手段を更に備え、
前記特定手段は、前記位置取得手段により取得されたフリック操作のタッチ開始位置に該当する表示部分を検索対象として特定し、
前記表示制御手段は、前記特定手段によって特定された表示部分に基づいて前記複数の画像の中から前記他の画像を検索する場合に、前記フリック方向検出手段によって検出されたフリック方向を検索条件の一部として検索を行う、
ことを特徴とする請求項１乃至９のいずれか１項に記載の画像表示装置。
【請求項１１】
タッチパネルを有するタッチ入力部と、画像を表示する表示部を備える画像表示装置であって、
前記タッチパネル上でフリック操作が行われた際のタッチ開始位置を取得する位置取得手段と、
前記表示部に表示される表示データのうち、検索対象の候補となる表示部分を識別可能に表示する識別表示手段と、
前記位置取得手段により取得された前記フリック操作のタッチ開始位置が前記識別表示手段によって識別表示されている表示部分である場合に、当該識別表示されている表示部分を検索対象として、所定の基準で配列されている複数の画像の中から、前記フリック操作のフリック方向に基づく検索方向に検索を行う検索手段と、
を備えることを特徴とする画像表示装置。
【請求項１２】
前記検索手段は、前記識別表示されていた表示部分に基づいて、前記複数の画像の中から、その表示部分が含まれる画像を検索する、
ことを特徴とする請求項１１に記載の画像表示装置。
【請求項１３】
前記検索手段による検索を行うか否かを設定する設定手段を更に備え、
前記識別表示手段は、前記設定手段によって検索を行うことが設定されている場合に識別表示を行う、
ことを特徴とする請求項１１又は１２に記載の画像表示装置。
【請求項１４】
タッチパネルを有するタッチ入力部と、画像を表示する表示部を備える画像表示装置における表示制御方法であって、
前記タッチパネル上でタッチ操作が行われた際のタッチ位置を取得する処理と、
前記表示部に表示されている表示データの中から前記取得されたタッチ位置に該当する表示部分を検索対象として特定する処理と、
所定の画像送り操作の開始時に、前記検索対象が特定されているか否かを判別する処理と、
前記所定の画像送り操作に応じて、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う処理と、
を含むことを特徴とする表示制御方法。
【請求項１５】
タッチパネルを有するタッチ入力部と、画像を表示する表示部を備える画像表示装置のコンピュータに対して、
前記タッチパネル上でタッチ操作が行われた際のタッチ位置を取得する機能と、
前記表示部に表示されている表示データの中から前記取得されたタッチ位置に該当する表示部分を検索対象として特定する機能と、
所定の画像送り操作の開始時に、前記検索対象が特定されているか否かを判別する機能と、
前記所定の画像送り操作に応じて、前記検索対象が特定されていないと判別されている場合には、所定の基準で配列されている複数の画像の中からその順方向又は逆方向の順に逐次選択した画像を前記表示部に表示させる表示制御を行い、前記検索対象が特定されていると判別されている場合には、前記特定された表示部分に基づいて前記複数の画像の中から前記表示されている画像を除く他の画像を検索して前記表示部に表示させる表示制御を行う機能と、
を実現させるためのプログラム。
【請求項１６】
タッチパネルを有するタッチ入力部と、画像を表示する表示部を備える画像表示装置における表示制御方法であって、
前記タッチパネル上でフリック操作が行われた際のタッチ開始位置を取得する処理と、
前記表示部に表示される表示データのうち、検索対象の候補となる表示部分を識別可能に表示する処理と、
前記取得された前記フリック操作のタッチ開始位置が前記識別表示されている表示部分である場合に、当該識別表示されている表示部分を検索対象として、所定の基準で配列されている複数の画像の中から、前記フリック操作のフリック方向に基づく検索方向に検索を行う処理と、
を含むことを特徴とする表示制御方法。
【請求項１７】
タッチパネルを有するタッチ入力部と、画像を表示する表示部を備える画像表示装置のコンピュータに対して、
前記タッチパネル上でフリック操作が行われた際のタッチ開始位置を取得する機能と、
前記表示部に表示される表示データのうち、検索対象の候補となる表示部分を識別可能に表示する機能と、
前記取得された前記フリック操作のタッチ開始位置が前記識別表示されている表示部分である場合に、当該識別表示されている表示部分を検索対象として、所定の基準で配列されている複数の画像の中から、前記フリック操作のフリック方向に基づく検索方向に検索を行う機能と、
を実現させるためのプログラム。